(57)【要約】【課題】、本発明は、帯水材を用いた雨水貯留浸透施設の省資源化の提案である。【解決手段】本発明は、表面に十字の溝が設けられた盤体と盤体に開口する脚部とその脚部の底面に設けた孔部より盤体に向け折り返した2重脚部を有する帯水材１で形成された周壁内に、帯水材2の脚部底面を対向させ、その間に表面に十字の溝が設けられた盤体と盤体に開口する脚部からなり、その脚部底面に開口する孔部から立ち上がる支柱支持部を有する帯水材２をその盤体を相接する状態で配置しその中心を支柱で貫いて形成した柱を配置し、第3の帯水材で帯水材１の盤体、帯水材２の盤体の表面に設けた溝を介して周壁と柱、柱と柱間を連結し、その上部を天板で覆って形成された貯留空間をシートで覆い地下に埋設した雨水等の貯留浸透施設である。【選択図】図１
2018003326.tif 000002
【特許請求の範囲】
【請求項１】
表面に十字の溝が設けられた盤体と盤体に開口する脚部とその脚部の底面に設けた孔部より盤体に向け折り返した2重脚部を有する帯水材１で形成された周壁内に、帯水材2の脚部底面を対向させ、その間に表面に十字の溝が設けられた盤体と盤体に開口する脚部からなり、その脚部底面に開口する孔部から立ち上がる支柱支持部を有する帯水材２をその盤体を相接する状態で配置しその中心を支柱で貫いて形成した柱を配置し、第3の帯水材で帯水材１の盤体、帯水材２の盤体の表面に設けた溝を介して周壁と柱、柱と柱間を連結し、その上部を天板で覆って形成された貯留空間をシートで覆い地下に埋設した雨水等の貯留浸透施設。
【発明の詳細な説明】
【技術分野】
【０００１】
本発明は、雨水等の貯留浸透施設の技術に属する。
【背景技術】
【０００２】
雨水等の流出抑制を目的として、プラスチックなどで製造された単位部材を地下に配列充填しその周囲を適宜シートで覆った雨水貯留浸透施設が普及している。この目的のため各種の異なる形状の単位部材が例えば特開平10-252108、特開平11-222886などに提案且つ使用されている。いずれの方法も単位部材を地下に配列し、その周囲を透水性若しくは遮水性のシートで包み、その内部空間に雨水等を貯留する浸透・貯留施設とするものであった。
上記単位部材の配列を工夫することで省資源を図る方法として本発明者らは特開2008-280775、特開2010-048010、特開2010-059729の方法を提案した。
【０００３】
【特許文献１】特開平10-252108
【特許文献２】特開平11-222886
【特許文献３】特開2008-280775
【特許文献４】特開2010-048010
【特許文献５】特開2010-059729
【発明の開示】
【発明が解決しようとする課題】
【０００４】
本発明は、帯水材を用いた雨水貯留浸透施設の省資源化の提案である。
【課題を解決するための手段】
【０００５】
本発明は、表面に十字の溝が設けられた盤体と盤体に開口する脚部とその脚部の底面に設けた孔部より盤体に向け折り返した2重脚部を有する帯水材１で形成された周壁内に、帯水材2の脚部底面を対向させ、その間に表面に十字の溝が設けられた盤体と盤体に開口する脚部からなり、その脚部底面に開口する孔部から立ち上がる支柱支持部を有する帯水材２をその盤体を相接する状態で配置しその中心を支柱で貫いて形成した柱を配置し、第3の帯水材で帯水材１の盤体、帯水材２の盤体の表面に設けた溝を介して周壁と柱、柱と柱間を連結し、その上部を天板で覆って形成された貯留空間をシートで覆い地下に埋設した雨水等の貯留浸透施設である。
【発明の効果】
【０００６】
本発明は、帯水材１と、帯水材２の脚部に存在する孔部を用いることで、支柱が挿入可能となり、かつ両帯水材に設けた盤体の溝に帯水材３を支持させることから、帯水材１と帯水材２で形成される柱を離して設置可能となり、省資源効果が高まる。
【図面の簡単な説明】
【０００７】
【図１】帯水材を示す概念図である。
【図２】帯水材で形成される閉じた周壁を示す概念図である。
【図３】帯水材で形成される柱を示す概念図である。
【図４】柱と柱の間を第3の帯水材で接続した状態を示す概念図である。
【図５】貯留空間を示す概念図である。
【図６】雨水等の貯留浸透施設の概念図である。
【図７】帯水材の例を示す。
【発明を実施するための最良の形態】
【０００８】
以下、本発明を図によって、より詳細に説明する。
図１は、本発明の雨水などの貯留浸透施設を形成する帯水材の概念図である。
図１ａは、帯水材１を示す概念図であり、図１ｂは、帯水材２を示す概念図であり、図１ｃは、帯水材３を示す概念図である。
帯水材１は、図１ａに示すとおり、盤体と盤体に開口する脚部とからなり、本をその底面から折り返し盤体表面に平行にその底部の位置を合わせた2重脚部を有し、その内側の脚部が前記支柱を挿入・支持可能な大きさに設定され、かつ盤体表面には帯水材３を支持するための溝が十文字に設けられている。帯水材２は、図１ｂに示すとおり、盤体と盤体に開口する脚部とからなり当該脚部底面に設けた孔部から脚部内に立ちあがる支柱挿入用のガイドが設けられ、かつ盤体表面には帯水材３を支持するための溝が十文字に設けられている。
帯水材１、帯水材２ともその脚部は水平断面が正方形に示されているが特にこの形状に限るものではない。また支柱挿入用のガイドについても支柱の形状に合わせたものでこの形状に限るものではないことは同じである。
なお、盤体、脚部表面には図示していないが、雨水が流通自在に動くことができるよう小孔が適宜設けられることもある。
帯水材3のは図1ｃに示すように細長い平板状で帯水材１および帯水材２の盤体表面に設けた溝に支持される。
なお、本発明に使用する帯水材の例を図７に示す。図７ｂに示す帯水材はその脚部に対する盤体の大きさが異なるだけなので特に説明は省略する。
なお、支柱は図３では角柱として図示されているが、これもこの形状に限るものではなく円柱、円管など適宜変更できる。
【０００９】
図2は、帯水材１で形成された貯留空間の周壁を示している。
図に示すように帯水材１をその脚部底面を対向した状態で組み合わせたユニットを縦横に配置し周壁とするものである。
図ではユニットを1列縦横に配置した状態を示している。必要に応じて複数列の厚い周壁とすることもできる。
【００１０】
図３は、帯水材１、帯水材２と支柱で形成される柱を示している。
図に示すように、帯水材１を脚部を対向させるように柱の上端下端に配置する。その間に帯水材１をその盤体が相接するようにして挿入し、全体を支柱で接続したものである。柱の高さは同型にの帯水材1と帯水材2を使用することで図2に示す周壁の高さと同じとなる。
帯水材１と支柱の固定は、必要に応じモルタルなどを支柱と内部脚との隙間に充填して行うことができる。
【００１１】
図４は柱と柱の間を帯水材３で接続した状態を示す概念図である。
前述した柱を帯水材３で連結し、柱と周壁との間、柱と柱との間が帯水材の盤体と同じとなるよう並べたものである。
このとき、帯水材3は帯水材1と帯水材2の盤体表面に設けた溝によって支持される。
【００１２】
図５は貯留空間を示す概念図である。前述した周壁内に柱を前述した状態で配置した状態を示している。この状態で周壁と柱、柱と柱間に天板を配置し天井部を塞ぎ貯留空間が完成する。本図では周壁と柱の一部が接しているが周壁と全ての柱を離して配置し帯水材３で連結させてもよい。
なお、図7ｂに示す帯水材を使用する場合、周壁外側に大きな空所が発生するためその部分を壁材を使用して塞ぐことができる。
【００１３】
貯留空間を地下に埋設し、その周囲をシート類で覆い、必要に応じて図6に示すように付帯設備としてドロだめ枡、流入管、流出管、オリフィス枡を設け雨水等の貯留浸透施設として使用することができる。
【産業上の利用可能性】
【００１４】
雨水等の貯留浸透施設として利用可能である。
【符号の説明】
【００１５】
１  帯水材１
２  帯水材２
３  帯水材３
４  周壁
５  柱
６  支柱
７  貯留空間
８  天材
９  シート
【図１】
2018003326.tif 000003
【図２】
2018003326.tif 000004
【図３】
2018003326.tif 000005
【図４】
2018003326.tif 000006
【図５】
2018003326.tif 000007
【図６】
2018003326.tif 000008
【図７】
2018003326.tif 000009